(57)【特許請求の範囲】
【請求項１】
擁壁壁面を形成する壁面材の背面に抗張部材の一端側を取り付け、この抗張部材の他端側を前記壁面材から離間する方向に展張して設け、前記壁面材の背面側に盛土を投入転圧して前記抗張部材を埋設する法面拘束アンカー補強土壁構造において、前記抗張部材には一端側に連結プレートを連結するとともに他端側にアンカープレートを連結し、前記壁面材の背面に溝部を設け、この溝部内には前記抗張部材の一端側の前記連結プレートを配設するとともに該連結プレートを拘束するための砕石からなる充填材を充填し、前記壁面材には前記開口周辺で前記抗張部材の引張り力により前記連結プレートから発生する前記充填材の押圧力を受け止める抜け防止用突起部を設けたことを特徴とする法面拘束アンカー補強土壁構造。
【請求項２】
擁壁壁面を形成する壁面材の背面に抗張部材の一端側を取り付け、この抗張部材の他端側を前記壁面材から離間する方向に展張して設け、前記壁面材の背面側に盛土を投入転圧して前記抗張部材を埋設する法面拘束アンカー補強土壁構造において、前記抗張部材には一端側に連結プレートを連結するとともに他端側にアンカープレートを連結し、前記壁面材の背面に溝部を形成し、この溝部内には前記抗張部材の一端側の前記連結プレートを配設するとともに該連結プレートを拘束するための砕石からなる充填材を充填し、前記壁面材には正面から前記溝部に連通する視認用孔部を形成したことを特徴とする法面拘束アンカー補強土壁構造。
【発明の詳細な説明】
【技術分野】
【０００１】
この発明は、法面拘束アンカー補強土壁構造に係り、特に簡単な構成で壁面材の安定性を向上する法面拘束アンカー補強土壁構造に関するものである。
【背景技術】
【０００２】
盛土を使用した壁面材による補強土壁構造には、擁壁壁面を形成する壁面材として枠材や土嚢を使用して、壁面材の背面側に盛土を投入して転圧し、この壁面材の背面に抗張部材（タイバー）の一端側を連結し、この抗張部材の他端側を壁面材から離間する方向に展張して盛土中に埋設して構築するものがある。
【０００３】
従来、補強土壁構造には、所定角度に折曲した斜面部と底面部とを有する網状部材からなる壁面材の斜面部に略水平方向に帯状部材を固着し、この帯状部材と底面部とをブレス部材により連絡し、壁面材の底面部に形成した鉤部に抗張部材の一端側を連結させた後に、壁面材の底面部上部に盛土を転圧するとともにブレス部材を盛土内に埋設して第１の土壌層を形成し、この第１の土壌層上部に第２以降の土壌層を順次に形成して補強土壁を構築するものがある。
【特許文献１】特許第３２１０７４５号公報
【発明の開示】
【発明が解決しようとする課題】
【０００４】
ところで、従来、補強土壁構造においては、壁面材の背面に取付具等の部品を介して抗張部材の一端側を連結し、抗張部材の他端側を壁面材から離間する方向に展張して盛土中に埋設して構築していることから、抗張部材の一端側が壁面材の背面に取付具により緊結された形となり、このため、抗張部材の引張り力が直接的に壁面材に作用してしまい、抗張部材に過大な応力が作用して壁面材の安定性が低下し、また、取付具等の部品点数が増加して、構成が複雑で、高価になるという不都合があった。
【０００５】
そこで、この発明は、簡単な構成で壁面材の安定性を向上するとともに、部品点数を低減して、構成を簡単とし、廉価とする法面拘束アンカー補強土壁構造を提供することにある。
【課題を解決するための手段】
【０００６】
この発明は、擁壁壁面を形成する壁面材の背面に抗張部材の一端側を取り付け、この抗張部材の他端側を前記壁面材から離間する方向に展張して設け、前記壁面材の背面側に盛土を投入転圧して前記抗張部材を埋設する法面拘束アンカー補強土壁構造において、前記抗張部材には一端側に連結プレートを連結するとともに他端側にアンカープレートを連結し、前記壁面材の背面に溝部を設け、この溝部内には前記抗張部材の一端側の前記連結プレートを配設するとともに該連結プレートを拘束するための砕石からなる充填材を充填し、前記壁面材には前記開口周辺で前記抗張部材の引張り力により前記連結プレートから発生する前記充填材の押圧力を受け止める抜け防止用突起部を設けたことを特徴とする。
【発明の効果】
【０００７】
この発明は、抗張部材の一端側に連結した連結プレートを充填材によって壁面材の背面に拘束させ、抗張部材に過大な応力が作用するのを回避し、壁面材の安定性を向上することができる。
【発明を実施するための最良の形態】
【０００８】
この発明の法面拘束アンカー補強土壁構造は、抗張部材に過大な応力が作用するのを回避し、壁面材の安定性を向上するために、抗張部材の一端側に連結した連結プレートを充填材によって壁面材の背面に拘束して実現するものである。
以下、図面に基づいてこの発明の実施例を詳細且つ具体的に説明する。
【実施例１】
【０００９】
図１〜図５は、この発明の第１実施例を示すものである。
【００１０】
図５において、２は法面拘束アンカー補強土壁、４は地盤、６は基礎、８は壁面材（コンクリートブロック）、１０は擁壁壁面、１２は盛土である。
【００１１】
擁壁壁面１０は、上下方向において、地盤４に設置した基礎６上に、壁面材８として、第１の壁面材８−１を設置し、そして、この第１の壁面材８−１に第２の壁面材８−２〜第６の壁面材８−６を順次に斜め上方に積層し、また、これらの各壁面材を左右方向にも所定に複数個並設することにより、所要の面域で形成される。
【００１２】
第１の壁面材８−１〜第６の壁面材８−６の背面には、抗張部材（タイバー）１４として、第１の抗張部材１４−１〜第６の抗張部材１４−６の一端側が取り付けられる。この場合、第１の抗張部材１４−１〜第６の抗張部材１４−６においては、最も下側に位置する第１の抗張部材１４−１の長さが最も短く形成され、この第１の抗張部材１４−１の上方に位置する第２の抗張部材１４−２〜第６の抗張部材１４−６の長さが順次に長く形成され、最も上側の第６の抗張部材１４−６の長さが最も長く形成されている。抗張部材１４としては、柔軟性を有する材質や、鉄筋等の硬質材等の各種のものを用いることが可能である。
【００１３】
図１〜図３に示す如く、壁面材８は、例えば、長方体であり、正面８Ａと背面８Ｂと上面８Ｃと下面８Ｄと一側面８Ｅと他側面８Ｆとで所定厚さＴに形成されている。この壁面材８の背面８Ｂには、略中央部位で上下方向に指向した溝部１６が形成されている。この溝部１６は、壁面材８の上面８Ｃと下面８Ｄとに貫通して上下方向に指向し、左右方向の幅Ｗ１で且つ背面８Ｂから深さＥ１に形成されている。また、壁面材８の背面８Ｂには、左右方向において一端部で溝部１６の他側半分と略同一形状の一側窪部１８Ａと他端部で溝部１６の一側半分と略同一形状の他側窪部１８Ｂとが、上下方向に指向して形成されている。
【００１４】
また、壁面材８には、溝部１６の背面８Ｂ部位の開口２０周辺で、抗張部材１４の引張り力により後述する連結プレート２４から発生する充填材２８の押圧力を受け止める抜け防止用突起部２２が設けられている。この抜け防止用突起部２２は、溝部１６の壁面材８の背面８Ｂ部位で左右方向が前記幅Ｗ１よりも小さな幅Ｗ２の前記開口２０を形成している。また、この抜け防止用突起部２２は、開口２０周辺全体に形成されたり、あるいは、開口２０周辺において一定間隔で複数個の突部により形成されるものである。
【００１５】
また、抗張部材１４には、連結プレート２４と、アンカープレート２６としての、壁面材８側の前側アンカープレート２６Ｆ及び壁面材８から離間した側の後側アンカープレート２６Ｒとが連結される。
【００１６】
連結プレート２４は、例えば、四角形の板状体であり、正面側の平坦面と背面側の凸面とを備え、抗張部材１４の一端部に連結されて溝部１６の奥部位で上下方向に指向して配設される。前側アンカープレート２６Ｆは、例えば、四角形の板状体であり、正面側の平坦面と背面側の凸面とを備え、連結プレート２４から距離Ｓ１だけ背面側で、壁面材８の背面８Ｂ近くで上下方向に指向して配設されている。後側アンカープレート２６Ｒは、前側アンカープレート２６Ｆと同一形状であり、正面側の凸面と背面側の平坦面とを備え、前側アンカープレート２６Ｆから距離Ｓ２だけ背面側で、抗張部材１４の他端部に連結されて上下方向に指向して配設されている。また、この第１実施例において、溝部１６の壁面材８の背面８Ｂ部位の開口２０は、連結プレート２４の外形よりも大きく、つまり、幅Ｗ２が連結プレート２４の一辺の幅Ｗ３よりも大きく形成されている。また、連結プレート２４の一辺の幅Ｗ３は、前側アンカープレート２６Ｆ・後側アンカープレート２６Ｒの幅Ｗ４よりも小さく形成されている。
【００１７】
そして、溝部１６内には、壁面材８の上端部側から、抗張部材１４の一端側の連結プレート２４が挿入して配設されるとともに、充填材２８が充填される。この充填材２８は、例えば、砕石からなり、壁面材８の背面側の盛土１２の圧力により溝部１６内で連結プレート２４を拘束する。なお、充填材２８としては、例えば、コンクリート等の他の材料を用いることも可能である。
【００１８】
また、図４に示す如く、左右方向の一方の壁面材８の一側窪部１８Ａと他方の壁面材８の他側窪部１８Ｂとの間には、境界溝部３０が形成される。この境界溝部３０には、中央部位の溝部１６と同様に、充填材２８が充填される。
【００１９】
これにより、図４、図５に示す如く、第１の抗張部材１４−１には、第１の連結プレート２４−１と第１の前側アンカープレート２６Ｆ−１と第１の後側アンカープレート２６Ｒ−１とが所定箇所で連結される。第２の抗張部材１４−２には、第２の連結プレート２４−２と第２の前側アンカープレート２６Ｆ−２と第２の後側アンカープレート２６Ｒ−２とが所定箇所で連結される。第３の抗張部材１４−３には、第３の連結プレート２４−３と第３の前側アンカープレート２６Ｆ−３と第３の後側アンカープレート２６Ｒ−３とが所定箇所で連結される。第４の抗張部材１４−４には、第４の連結プレート２４−４と第４の前側アンカープレート２６Ｆ−４と第４の後側アンカープレート２６Ｒ−４とが所定箇所で連結される。第５の抗張部材１４−５には、第５の連結プレート２４−５と第５の前側アンカープレート２６Ｆ−５と第５の後側アンカープレート２６Ｒ−５とが所定箇所で連結される。第６の抗張部材１４−６には、第６の連結プレート２４−６と第６の前側アンカープレート２６Ｆ−６と第６の後側アンカープレート２６Ｒ−６とが所定箇所で連結される。
【００２０】
そして、法面拘束アンカー補強土壁２においては、所要の面域の擁壁壁面１０を形成するように、先ず、地盤４に基礎６を設置し、この基礎６上に下側の第１の壁面材８−１を左右方向に複数個並べて設置し、そして、この第１の壁面材８−１の第１の溝部１６−１内に第１の連結プレート２４−１を配設して充填材２８を充填するとともに、隣接する壁面材８−１の一側窪部１８Ａと他側窪部１８Ｂ間の境界溝部３０にも充填材２８を充填する。さらに、第１の連結プレート２４−１が連結された第１の抗張部材１４−１を背面側に展張し、そして、盛土１２を投入転圧してこの盛土１２で第１の抗張部材１４−１を埋設することにより、第１の溝部１６−１内では盛土１２の圧力により充填材２８が第１の連結プレート２４−１を拘束しつつ、第１の土壌層Ｌ１が形成される。そして、詳細な説明を省略するが、同様に、第１の壁面材８−１の上方に第２の壁面材８−２〜第６の壁面材８−６を順次に積層するとともに、この第２の壁面材８−２〜第６の壁面材８−６の背面に第２の抗張部材１４−２〜第６の抗張部材１４−６を盛土１２で埋設することにより、第２〜第７の土壌層Ｌ２〜Ｌ７が形成される。また、各抗張部材１４に連結された各前側アンカープレート２６Ｆは、各壁面材８の背面近傍に位置し且つ盛土１２で埋められて固定される。更に、各抗張部材１４に連結された各後側アンカープレート２６Ｒは、各壁面材８の背面から離れた箇所に位置し且つ盛土１２で埋められて固定される。
【００２１】
このとき、第１前側アンカープレート２６Ｆ−１〜第６の前側アンカープレート２６Ｆ−６の部位においては、第１の壁面材８−１〜第６の壁面材８−６の背面側で上下方向に前側補強土壁３２Ｆが形成されるとともに、中間で第２の後側アンカープレート２６Ｒ−２・第３の後側アンカープレート２６Ｒ−３・第４の後側アンカープレート２６Ｒ−４部位においては、擁壁壁面１０の背面側で前側補強土壁３２Ｆから所定距離だけ離れた箇所に上下方向の中間側補強土壁３２Ｍが形成され、さらに、第５の後側アンカープレート２６Ｆ−５・第６の後側アンカープレート２６Ｆ−６の部位においては、擁壁壁面１０の背面側で中間補強土壁３２Ｍから所定距離だけ離れた箇所に上下方向の上側補強土壁３２Ｕが形成される。また、各前側アンカープレート２６Ｆは、各壁面材８の背面近傍に位置し且つ盛土１２で埋められて固定されるので、該各前側アンカープレート２６Ｆと各連結プレート２４との間の各抗張部材１４に作用する引張り力を低減し、また、各壁面材８の背面に作用する土圧を低減する。
【００２２】
次に、この第１実施例の作用を説明する。
【００２３】
法面拘束アンカー補強土壁２の構築に際しては、図４、図５に示す如く、先ず、地盤４に基礎６を設置し、この基礎６上に下側の第１の壁面材８−１を左右方向に複数個並べて設置し、そして、この第１の壁面材８−１の第１の溝部１６−１内に第１の連結プレート２４−１を配設して充填材２８を充填するとともに、隣接する壁面材８−１の一側窪部１８Ａと他側窪部１８Ｂ間の境界溝部３０にも充填材２８を充填する。さらに、第１の連結プレート２４−１が連結された第１の抗張部材１４−１を背面側に展張し、そして、盛土１２を投入転圧してこの盛土１２で第１の抗張部材１４−１を埋設することにより、第１の溝部１６−１内では盛土１２の圧力により充填材２８が固められて第１の連結プレート２４−１を拘束しつつ、第１の土壌層Ｌ１が形成される。このとき、第１の連結プレート２４−１は、第１の壁面材８−１に緊結されず、第１の壁面材８−１に対してフレキシブルな状態となる。よって、第１の抗張部材１４−１は、第１の壁面材８−１に対してフレキシブルな状態となる。
【００２４】
そして、詳細な説明を省略するが、同様に、第１の壁面材８−１の上方に第２の壁面材８−２〜第６の壁面材８−６を順次に積層するとともに、この第２の壁面材８−２〜第６の壁面材８−６の背面に第２の抗張部材１４−２〜第６の抗張部材１４−６を盛土１２で埋設することにより、第２〜第７の土壌層Ｌ２〜Ｌ７が形成される。
【００２５】
これにより、第１前側アンカープレート２６Ｆ−１〜第６の前側アンカープレート２６Ｆ−６の部位においては、第１の壁面材８−１〜第６の壁面材８−６の背面側で上下方向に前側補強土壁３２Ｆが形成されるとともに、中間で第２の後側アンカープレート２６Ｒ−２・第３の後側アンカープレート２６Ｒ−３・第４の後側アンカープレート２６Ｒ−４部位においては、擁壁壁面１０の背面側で前側補強土壁３２Ｆから所定距離だけ離れた箇所に上下方向の中間側補強土壁３２Ｍが形成され、さらに、第５の後側アンカープレート２６Ｆ−５・第６の後側アンカープレート２６Ｆ−６の部位においては、擁壁壁面１０の背面側で中間補強土壁３２Ｍから所定距離だけ離れた箇所に上下方向の上側補強土壁３２Ｕが形成される。
【００２６】
そして、図４に示す如く、例えば、各壁面材８の背面の盛土１２の圧力（土圧）により各壁面材８に背面側から前方への力が作用する等により、各前側アンカープレート２６Ｆ・各後側アンカープレート２６Ｒで固定された抗張部材１４の背面側に擁壁壁面１０から離れるような引張り力Ｆ１が発生した場合に、連結プレート２４から発生する充填材２８の押圧力Ｆ２が左右方向及び抜け防止用突起部２２の方向に作用し、そして、この連結プレート２４は、壁面材８に対して直接固定されない状態となる一方、抜け防止用突起部２２により壁面材８に対して連結状態が維持される。そして、連結プレート２４が壁面材８に対して直接固定されない状態になることにより、抗張部材１４に過大な応力等が作用するのを回避させることができる。また、このとき、連結プレート２４の背面側が凸面に形成されていることにより、連結プレート２４から発生する充填材２８の押圧力Ｆ２が左右方向及び抜け防止用突起部２２の方向に拡がるように強く作用し、これにより、連結プレート２４を壁面材８に堅固に連結させ、堅固な擁壁壁面１０を構成することができる。
【００２７】
この結果、抗張部材１４には一端側に連結プレート２４を連結するとともに他端側にアンカープレート２６を連結し、壁面材８の背面に溝部１６を形成し、この溝部１６内には抗張部材１４の一端側の連結プレート２４を配設するとともに充填材２８を充填したことにより、抗張部材１４に過大な応力等が作用するのを回避させ、壁面材８の安定性を向上することができ、これにより、壁面材８が崩壊するおそれをなくし、また、取付具等の部品が不要となって部品点数を低減し、構成が簡単で、廉価であり、しかも、連結プレート２４を上下方向に指向する溝部１６に挿入して壁面材８の背面に拘束することから、抗張部材１４の取付作業を簡便に行わせることができる。
【００２８】
また、溝部１６は壁面材８の背面部位の開口２０が連結プレート２４の外形よりも大きく形成され、壁面材８には開口２０周辺で抗張部材１４の引張り力により連結プレート２４から発生する充填材２８の押圧力を受け止める抜け防止用突起部２２を設けたことにより、抗張部材１４は、壁面材８に対して直接固定されない状態となり、また、抜け防止用突起部２２によりその連結状態が維持され、更に、壁面材８の背面の溝部１６に連結プレート２４を容易に取り付けることができ、その組み付け作業を容易にすることができ、しかも、取付具等の他の部品を不要とし、部品点数を低減して、構成が簡単で、廉価とすることができる。
【００２９】
更に、各壁面材８の背面において、前側補強土壁３２Ｆと中間側補強土壁３２Ｍと上側補強土壁３２Ｕとが形成されていることから、各壁面材８に作用する土圧を軽減し、各壁面材８の変位を抑制し、壁面材８の安定性を向上することができる。
【００３０】
更にまた、各前側アンカープレート２６Ｆは、各壁面材８の背面近傍に位置し且つ盛土１２で埋められて固定されるので、該各前側アンカープレート２６Ｆと各連結プレート２４との間の各抗張部材１４に作用する引張り力を低減する。よって、各前側アンカープレート２６Ｆよりも各壁面材８側の各抗張部材１４に作用する引張り力が弱いので、各連結プレート２４が各溝部１６から抜け出そうとする力を低減し、各壁面材８の背面に各抗張部材１４の一端側を連結する構造を簡素化しても、各壁面材８と各抗張部材１４との連結状態を堅固に維持することができるので、構成が簡単で、廉価とすることができる。
【００３１】
また、各前側アンカープレート２６Ｆは、各壁面材８の背面近傍に位置し且つ盛土１２で埋められて固定されるので、各壁面材８の背面に作用する土圧を低減する。これにより、各壁面材８の背面に作用する土圧が弱くなり、各壁面材８の耐力低減を図り、構造を簡素化、つまり、例えば、従来、壁面材を鉄筋コンクリートで製作していたのを、この実施例においては、壁面材を無筋コンクリート等で製作することができ、構成が簡単で、しかも、製作費・材料費を削減することができる。
【実施例２】
【００３２】
図６は、この発明の第２実施例を示すものである。
【００３３】
以下の実施例においては、上述の第１実施例と同一機能を果たす箇所には同一符号を付して説明する。
【００３４】
この第２実施例の特徴とするところは、以下の点にある。即ち、壁面材８の背面８Ｂには、略中央部位で上下方向に指向する溝部１６が形成されている。この溝部１６は、例えば、壁面材８の背面８Ｂに開口２０と同じ幅Ｗ５で且つ深さＥ１に形成されている。また、連結プレート２４は、アンカープレート２６と同型に形成されている。
【００３５】
この第２実施例の構成によれば、上述の第１実施例と同様な作用効果を奏するとともに、溝部１６が壁面材８の背面８Ｂに開口２０から奥部位まで同じ幅Ｗ５に形成されているので、壁面材８の背面に連結プレート２４を簡便に配設することができ、その連結作業を容易にするとともに、連結プレート２４と各アンカープレート２６とが同型なので、一つのプレートを製作するだけで、連結プレート２４と各アンカープレート２６とに兼用することができ、部品の種類を少なくし、廉価とすることができる。
【実施例３】
【００３６】
図７は、この発明の第３実施例を示すものである。
【００３７】
この第３実施例の特徴とするところは、以下の点にある。即ち、壁面材８の背面８Ｂには、略中央部位で上下方向に溝部１６が形成されている。この溝部１６の周辺には、例えば、壁面材８の背面８Ｂの左右方向において、連結プレート２４の幅Ｗ４よりも小さな幅Ｗ６の開口２０を形成する抜け防止用突起部２２が設けられている。
【００３８】
この第３実施例の構成によれば、上述の第１実施例と同様な作用効果を奏するとともに、溝部１６の開口２０が連結プレート２４の外形よりも小さく形成されているので、抗張部材１４に引張り力が作用したときに、連結プレート２４から充填材２８に発生する押圧力が抜け防止用突起部２２によって集中的に受け止められ、連結プレート２４の脱落を確実に防止することができる。
【実施例４】
【００３９】
図８、図９は、この発明の第４実施例を示すものである。
【００４０】
この第４実施例の特徴とするところは、以下の点にある。即ち、例えば、第１実施例における壁面材８において、正面８Ａから溝部１６に貫通する視認用孔部３４を形成した。この視認用孔部３４は、正面８Ａから溝部１６内の抗張部材１４が適正に配設されているか否かの健全性、つまり、抗張部材１４の機能が十分に発揮されているか否かを診断させるものである。
【００４１】
この第４実施例の構成によれば、上述の第１実施例と同様な作用効果を奏するとともに、壁面材８の正面８Ａから視認用孔部３４を経て抗張部材１４の健全性を診断することができ、抗張部材１４の健全性を直接診断させ、補強土の信頼性を向上することができる。
【実施例５】
【００４２】
図１０は、この発明の第５実施例を示すものである。
【００４３】
この第５実施例の特徴とするところは、以下の点にある。即ち、左右方向で隣接する壁面材８の各境界部分に、つまり、一方の壁面材８の一側窪部１８Ａと他方の壁面材８の他側窪部１８Ｂとに形成される境界溝部３０には抗張部材１４が連結された連結プレート２４を配設するとともに充填材２８を充填した。また、この抗張部材１４には、前側アンカープレート２６Ｆと後側アンカープレート２６Ｒとを連結した。
【００４４】
この第５実施例の構成によれば、上述の第１実施例と同様な作用効果を奏するとともに、隣接する壁面材８の各境界部分に抗張部材１４が配設されることから、抗張部材１４の本数が全体として増加し、壁面材８の背面側の補強土壁３２を強固な構造とし、壁面材８の安定性をさらに向上することができる。
【００４５】
なお、この発明においては、壁面材の形状を、長方形状に限られず、正方形状や三角形状、あるいは、多角形状等の他の形状に形成することも可能である。また、連結プレートや各アンカープレートを、四角形状に限られず、三角形状等の他の形状にすることも可能である。
【産業上の利用可能性】
【００４６】
壁面材の背面に充填材によって抗張部材の一端側に連結した連結プレートを拘束することを、他の構造にも適用させることができる。
【図面の簡単な説明】
【００４７】
【図１】第１実施例において壁面材に抗張部材を取り付けた状態の平面図である。
【図２】第１実施例において壁面材に抗張部材を取り付けた状態の側面図である。
【図３】第１実施例において壁面材の正面図である。
【図４】第１実施例において抗張部材の背面側への引張り力により連結プレートから発生する充填材の押圧力が作用したときの側面図である。
【図５】第１実施例において法面拘束アンカー補強土壁構造の断面図である。
【図６】第２実施例において壁面材に抗張部材を取り付けた状態の平面図である。
【図７】第３実施例において壁面材に抗張部材を取り付けた状態の平面図である。
【図８】第４実施例において壁面材に抗張部材を取り付けた状態の断面図である。
【図９】第４実施例において図８の壁面材の正面図である。
【図１０】第５実施例において隣接する壁面材間に抗張部材を取り付けた状態の平面図である。
【符号の説明】
【００４８】
２  法面拘束アンカー補強土壁構造
４  地盤
６  基礎
８  壁面材
１０  擁壁壁面
１２  盛土
１４  抗張部材
１６  溝部
１８  窪部
２０  開口
２２  抜け防止用突起部
２４  連結プレート
２６  アンカープレート
２８  充填材
３０  境界溝部
３２  補強土壁
【図１】
0004777771.tif 000002
【図２】
0004777771.tif 000003
【図３】
0004777771.tif 000004
【図４】
0004777771.tif 000005
【図５】
0004777771.tif 000006
【図６】
0004777771.tif 000007
【図７】
0004777771.tif 000008
【図８】
0004777771.tif 000009
【図９】
0004777771.tif 000010
【図１０】
0004777771.tif 000011